(57)【要約】  ブレーキペダル操作が行われてブレーキＥＣＵがラピッド起動すると（Ｓ１５）、ブレーキＥＣＵは、踏力液圧モードを実行する（Ｓ１７）。ブレーキＥＣＵは、制御圧センサにより検出される制御圧Ｐcon が切換判定閾値Ｐ０よりも小さくなったときに、ブレーキペダルの戻し操作途中であると判定して、制動モードを踏力液圧モードから通常制御モードに切り換える。従って、ストロークシミュレータの作動が開始されても、ドライバーに違和感を与えない。また、ブレーキペダルの戻し操作が行われていなくても、車両が走行し始めた場合（Ｖｘ＞０）には、踏力液圧モードからシミュレータ不作動制御液圧モードに切り換える。これにより、速やかに所望の制動力を発生させることができる。
2013011565.tif 000002
【特許請求の範囲】
【請求項１】
複数の車輪のそれぞれに設けられ作動液の液圧を受けて車輪に制動力を与える複数のホイールシリンダと、  ブレーキペダルに入力された踏力により加圧された作動液の液圧を前記複数のホイールシリンダに伝達する踏力液圧回路と、  前記ブレーキペダルの操作とは無関係に作動液を加圧する動力液圧源と、  前記動力液圧源で加圧された作動液の液圧を調圧して前記複数のホイールシリンダに伝達する制御液圧回路と、  前記ブレーキペダル操作に対して、その操作量に応じた反力を発生させつつブレーキペダル操作を許容するストロークシミュレータと、  前記ストロークシミュレータを作動させながら前記制御液圧回路を使ってブレーキペダル操作量に応じた制動力を発生させる通常制御モードと、前記ストロークシミュレータの機能を停止させて前記踏力液圧回路を使って制動力を発生させる踏力液圧モードとを選択的に実行する電子制御装置と、  ブレーキペダル操作を契機として前記電子制御装置を起動させるラピッド起動手段と  を備えたブレーキ制御装置において、  前記ラピッド起動手段により前記電子制御装置が起動した場合には、前記ブレーキペダルの戻し操作途中で、前記踏力液圧モードから前記通常制御モードに切り換えるラピッド起動時モード切換制御手段を備えたことを特徴とするブレーキ制御装置。
【請求項２】
前記ラピッド起動時モード切換手段は、前記ラピッド起動手段により前記電子制御装置が起動した場合には、前記ブレーキペダルの操作量が予め設定した切換判定閾値よりも低下したときに、前記踏力液圧モードから前記通常制御モードに切り換えることを特徴とする請求項１記載のブレーキ制御装置。
【請求項３】
前記ラピッド起動手段により前記電子制御装置が起動した後、前記ブレーキペダルの戻し操作が行われていない場合であっても予め設定した制御液圧必要条件が成立した場合には、前記ストロークシミュレータの機能を停止させた状態で前記制御液圧回路を使って制動力を発生させるシミュレータ不作動制御液圧モードを実行するシミュレータ不作動制御液圧モード実行手段を備えたことを特徴とする請求項１または２記載のブレーキ制御装置。
【請求項４】
前記制御液圧必要条件は、車速が予め設定された設定速度を超えたことを条件とするものであることを特徴とする請求項３記載のブレーキ制御装置。
【請求項５】
前記踏力液圧モードから前記通常制御モードに切り換えるときの前記踏力液圧回路により発生している実制動力に基づいて、前記通常制御モードに切り換えた後における、ブレーキペダル操作量と目標制動力との関係を補正するための補正量を演算し、前記補正量に基づいて目標制動力を演算する切換時目標制動力演算手段を備えたことを特徴とする請求項１ないし請求項４の何れか一項記載のブレーキ制御装置。
【請求項６】
前記切換時目標制動力演算手段は、前記ブレーキペダル操作量を前記補正量を使って補正するものであり、前記補正されたブレーキペダル操作量が予め設定した下限値を下回らないように補正量を更新する補正量更新手段を備えたことを特徴とする請求項５記載のブレーキ制御装置。
【請求項７】
前記ストロークシミュレータは、前記踏力液圧回路を開閉する踏力遮断弁よりも踏力液圧発生源側の前記踏力液圧回路から分岐したシミュレータ用流路に接続され、前記シミュレータ用流路に設けられたシミュレータ用開閉弁が開弁されている状態でブレーキ操作量に応じた量の作動液を導入して前記反力を発生させるものであり、  前記踏力液圧モードから前記通常制御モードに切り換える際に、前記踏力液圧回路における前記シミュレータ用流路の分岐位置より前記ホイールシリンダ側に設けられる弁を閉弁した状態で、前記シミュレータ用開閉弁を開弁する弁作動タイミング設定手段を備えたことを特徴とする請求項１ないし請求項６の何れか一項記載のブレーキ制御装置。
【発明の詳細な説明】
【技術分野】
【０００１】  本発明は、動力液圧源により加圧された作動液の液圧を調圧してホイールシリンダに伝達する制御液圧回路を備えたブレーキ制御装置に関する。
【背景技術】
【０００２】  従来から、ブレーキペダルの踏力により加圧された作動液の液圧をホイールシリンダに伝達する踏力液圧回路と、動力液圧源により加圧された作動液の液圧をリニア制御弁により調圧してホイールシリンダに伝達する制御液圧回路とを並列に備え、通常時においては、制御液圧回路を使用する通常制御モードを選択し、何らかの異常が検出されている時においては、踏力液圧回路を使用した踏力液圧モードに切り換えるブレーキ制御装置が知られている。【０００３】  通常制御モードにおいては、ブレーキ制御装置で発生させる要求制動力に基づいて目標液圧が演算され、目標液圧がホイールシリンダに伝達されるようにリニア制御弁の開度が制御される。こうしたブレーキペダルの踏力を使用しないブレーキ制御方式は、一般に、ブレーキバイワイヤ方式と呼ばれている。【０００４】  通常制御モードにおいては、マスタシリンダとホイールシリンダとを連通するマスタ流路に設けられたマスタカット弁が遮断される一方、マスタシリンダとストロークシミュレータとを連通するシミュレータ流路に設けられたシミュレータカット弁が開弁される。これにより、ブレーキペダルの操作によりマスタシリンダからストロークシミュレータに向けて作動液が流出できるようになって、ブレーキペダルのストローク操作が可能になるとともに、ブレーキペダルの踏み込み量が大きくなるほど増大する操作反力が得られるようになる。【０００５】  特許文献１には、ドライバーのブレーキ操作中、制動モードを変更する場合において、変更前の制動モードがシミュレータカット弁を閉弁するモードであった場合には、変更後の制動モードでも継続してシミュレータカット弁を閉弁する技術が記載されている。シミュレータカット弁は、踏力液圧モードにおいては閉弁状態に設定されることから、踏力液圧モードから通常制御モードに切り換える場合には、シミュレータカット弁の閉弁状態が維持される。これにより、モード切換時に、ブレーキペダルがドライバーの予想以上入り込んでしまうことを防止する。
【先行技術文献】
【特許文献】
【０００６】
【特許文献１】特開２００８−２６５５１５号公報
【発明の概要】
【０００７】  ブレーキ制御装置においては、イグニッションスイッチがオンすると制御システム（電子制御装置）が起動し、装置内に異常がなければ、通常制御モードによるブレーキ制御を選択する。ブレーキ制御装置には、イグニッションスイッチがオフの状態であっても、ブレーキペダルの操作が行われたときに、制御システムが起動するラピッド起動方式を採用したものも知られている。ラピッド起動した場合には、すでにドライバーがブレーキペダルを踏み込んでいるため、ブレーキペダルを踏み込んだ状態で踏力液圧モード（起動前の状態）から通常制御モードに変更される。こうしたラピッド起動方式を採用したブレーキ制御装置に、上記の特許文献１に提案された技術を適用した場合には、踏力液圧モードから通常制御モードに変更されても、シミュレータカット弁の閉弁状態が維持される。このため、ドライバーにとってブレーキ操作が硬く感じられ、良好なブレーキ操作フィーリングが得られない。
【０００８】  本発明は、上記問題を解決するためになされたものであり、ラピッド起動時におけるブレーキ操作フィーリングを向上させることを目的とする。
【０００９】  上記課題を解決する本発明の特徴は、複数の車輪のそれぞれに設けられ作動液の液圧を受けて車輪に制動力を与える複数のホイールシリンダ（４２）と、ブレーキペダル（１０）に入力された踏力により加圧された作動液の液圧を前記複数のホイールシリンダに伝達する踏力液圧回路（ＬＲ，ＬＦ）と、前記ブレーキペダルの操作とは無関係に作動液を加圧する動力液圧源（３０）と、前記動力液圧源で加圧された作動液の液圧を調圧して前記複数のホイールシリンダに伝達する制御液圧回路（ＬＣ）と、前記ブレーキペダル操作に対して、その操作量に応じた反力を発生させつつブレーキペダル操作を許容するストロークシミュレータ（７０）と、前記ストロークシミュレータを作動させながら前記制御液圧回路を使ってブレーキペダル操作量に応じた制動力を発生させる通常制御モードと、前記ストロークシミュレータの機能を停止させて前記踏力液圧回路を使って制動力を発生させる踏力液圧モードとを選択的に実行する電子制御装置（１００）と、ブレーキペダル操作を契機として前記電子制御装置を起動させるラピッド起動手段（Ｓ１５）とを備えたブレーキ制御装置において、  前記ラピッド起動手段により前記電子制御装置が起動した場合には、前記ブレーキペダルの戻し操作途中で、前記踏力液圧モードから前記通常制御モードに切り換えるラピッド起動時モード切換制御手段（Ｓ１７，Ｓ１８，Ｓ１６）を備えたことにある。
【００１０】  この場合、前記ラピッド起動時モード切換手段は、前記ラピッド起動手段により前記電子制御装置が起動した場合には、前記ブレーキペダルの操作量が予め設定した切換判定閾値よりも低下したときに、前記踏力液圧モードから前記通常制御モードに切り換えるとよい。
【００１１】  本発明のブレーキ制御装置は、踏力液圧回路と制御液圧回路とを備えており、電子制御装置により、制御液圧回路を使ってブレーキペダル操作量に応じた制動力を発生させる通常制御モードと、踏力液圧回路を使って制動力を発生させる踏力液圧モードとが選択的に実行される。踏力液圧回路は、ブレーキペダルに入力された踏力により加圧された作動液の液圧を複数のホイールシリンダに伝達する。この場合、例えば、踏力液圧回路を、互いに独立した前輪用踏力液圧回路と後輪用踏力液圧回路にて構成し、前輪に設けられるホイールシリンダには前輪用踏力液圧回路から作動液の液圧を伝達し、後輪に設けられるホイールシリンダには後輪用踏力液圧回路から作動液の液圧を伝達するとよい。
【００１２】  一方、制御液圧回路は、ブレーキペダルの操作とは無関係に作動液を加圧する動力液圧源で加圧された作動液の液圧を調圧して複数のホイールシリンダに伝達する。ホイールシリンダに伝達する液圧は、例えば、ブレーキペダル操作量に基づいてリニア制御弁により制御するとよい。
【００１３】  制御液圧回路を使って車輪に制動力を発生させる通常制御モードにおいては、踏力液圧回路を遮断する必要があるため、そのままでは、ブレーキペダル操作ができなくなることから、ストロークシミュレータが設けられる。ストロークシミュレータは、ブレーキペダル操作に対して、その操作量に応じた反力を発生させつつブレーキペダル操作を許容する。従って、通常制御モードにおいては、ストロークシミュレータが作動状態におかれる。一方、踏力液圧モードにおいては、ブレーキペダル操作により加圧された作動液を使って車輪に制動力を発生させるため、ストロークシミュレータを作動させる必要がなく、ストロークシミュレータの機能は停止される。
【００１４】  電子制御装置は、ブレーキ制御装置内の故障が検出されていない通常時においては、通常制御モードを実行し、ブレーキ制御装置内に何らかの故障が発生しているときには踏力液圧モードを実行する。また、電子制御装置が起動していないときには、踏力液圧回路が形成される。尚、電子制御装置に実行するブレーキの制動モードは、この２つのモードに限るものではなく、他の制動モードを含んでいてもよい。
【００１５】  電動車両あるいはハイブリッド車両においては、液圧によるブレーキ制動だけでなく、車輪の回転力でモータを発電させ、この発電電力をバッテリに回生させる回生制動を行っている。こうした回生制動を行う場合には、必要総制動力から回生制動分を除いた制動力を、液圧によるブレーキ制動力に設定することにより、車輪に適正な制動力を発生させることができる。従って、通常制御モードは、回生制動と組み合わせた、いわゆるブレーキ回生協調制御を行う場合に好適である。
【００１６】  ブレーキ制御装置における制御システムは、一般に、イグニッションスイッチがオンすると起動するが、本発明においては、イグニッションスイッチがオンしていない状態であっても、ラピッド起動手段がブレーキペダル操作を契機として電子制御装置を起動させる。
【００１７】  電子制御装置が起動する前においては、踏力液圧回路が形成されているため、ラピッド起動手段により電子制御装置が起動（以下、ラピッド起動と呼ぶ）したときには、ブレーキペダルを踏み込んだ状態で、制動モードが踏力液圧モードから通常モードに切り換わることになる。このモード切換時においては、ストロークシミュレータの作動が開始されるため、ラピッド起動時においては、そのモード切換タイミングがブレーキペダル操作フィーリングに大きく影響する。
【００１８】  そこで、本発明は、ラピッド起動時モード切換制御手段を備えている。ラピッド起動時モード切換制御手段は、電子制御装置がラピッド起動した場合には、ブレーキペダルの戻し操作途中で、踏力液圧モードから通常制御モードに切り換える。つまり、電子制御装置がラピッド起動した場合には、ブレーキペダルの戻し操作が行われるまでは踏力液圧モードを継続させ、その戻し操作途中で通常制御モードに切り換える。
【００１９】  これにより、ストロークシミュレータの作動が開始されるときには、ドライバーがブレーキペダルを踏み込む踏力が少なくなっていることから、ドライバーに違和感を与えにくい。従って、本発明によれば、ラピッド起動時におけるブレーキ操作フィーリングを向上させることができる。
【００２０】  また、ラピッド起動時モード切換制御手段は、ブレーキペダルの操作量が予め設定した切換判定閾値よりも低下したときに、踏力液圧モードから通常制御モードに切り換えるとよい。ブレーキペダル操作量は、例えば、ペダルストローク、あるいは、踏力により加圧された作動液の液圧（踏力液圧と呼ぶ）等に基づいて検出できる。従って、例えば、ペダルストロークが予め設定された戻し判定閾値よりも少なくなったとき、あるいは、踏力液圧が予め設定された戻し判定閾値よりも少なくなったとき、ブレーキペダルの戻し操作途中であると判定して、踏力液圧モードから通常制御モードに切り換えることができる。これにより、本発明によれば、モード切換タイミングを更に適正に設定することができ、ラピッド起動時におけるブレーキ操作フィーリングを更に向上させることができる。
【００２１】  本発明の他の特徴は、前記ラピッド起動手段により前記電子制御装置が起動した後、前記ブレーキペダルの戻し操作が行われていない場合であっても予め設定した制御液圧必要条件が成立した場合には、前記ストロークシミュレータの機能を停止させた状態で前記制御液圧回路を使って制動力を発生させるシミュレータ不作動制御液圧モードを実行するシミュレータ不作動制御液圧モード実行手段（Ｓ１９，Ｓ２０）を備えたことにある。
【００２２】  この場合、前記制御液圧必要条件は、車速が予め設定された設定速度を超えたことを条件とするとよい。
【００２３】  本発明においては、ブレーキペダルの所定の戻し操作が行われていない場合、例えば、ブレーキペダルの操作量が予め設定した切換判定閾値よりも低下していない場合であっても、予め設定した制御液圧必要条件が成立した場合には、シミュレータ不作動制御液圧モード実行手段が、ストロークシミュレータの機能を停止させた状態で制御液圧回路を使って制動力を発生させるシミュレータ不作動制御液圧モードを実行する。
【００２４】  ラピッド起動によりブレーキペダルが踏まれている状態であっても、例えば、坂路勾配の影響で車両が走行し始めた場合においては、ブレーキ回生協調制御等、制御液圧回路を用いた車輪制動を行う必要が生じることがある。この場合には、車速が予め設定された設定速度を超えたことを検出して、シミュレータ不作動制御液圧モードを実行するようにすればよい。従って、本発明によれば、制御液圧回路を使った車輪制動が必要となった場合には、速やかに所望の制動力を発生させることができる。
【００２５】  本発明の他の特徴は、前記踏力液圧モードから前記通常制御モードに切り換えるときの前記踏力液圧回路により発生している実制動力に基づいて、前記通常制御モードに切り換えた後における、ブレーキペダル操作量と目標制動力との関係を補正するための補正量を演算し、前記補正量に基づいて目標制動力を演算する切換時目標制動力演算手段（Ｓ４１〜Ｓ５４）を備えたことにある。
【００２６】  踏力液圧モードにおいては、ブレーキペダル操作量と制動力との関係が機械構成により一義的に決まっているが、通常制御モードにおいては、動力液圧源で加圧された作動液の液圧を調圧してホイールシリンダに伝達するため、ブレーキペダル操作量に応じた目標制動力を自由に設定することができる。電子制御装置は、通常制御モードを実行するためのブレーキペダル操作量と目標制動力との関係を記憶しており、通常制御モードにおいては、この関係に基づいてブレーキ操作量から目標制動力を演算し、この目標制動力が発生するように液圧を調整する。このため、通常制御モードでは、踏力液圧モードに比べて、小ストロークで大きな制動力を発生させることができる。踏力液圧モードと通常制御モードとにおいて、ブレーキペダル操作量と制動力との関係が相違すると、モード切換時に制動力が変動してしまう。
【００２７】  そこで、本発明は、切換時目標制動力演算手段を備えている。切換時目標制動力演算手段は、踏力液圧モードから通常制御モードに切り換えるときの踏力液圧回路により発生している実制動力に基づいて、ブレーキペダル操作量と目標制動力との関係を補正するための補正量を演算し、この補正量に基づいて目標制動力を演算する。例えば、踏力液圧回路により発生している実制動力が分かれば、その実制動力を発生させるために必要なブレーキペダル操作量を、踏力液圧モードと通常制御モードとのそれぞれにおいて求めることができる。各モードにおけるブレーキペダル操作量の差に基づいて補正量を設定すれば、ブレーキペダル操作量と目標制動力との関係を変更することができる。切換時目標制動力演算手段は、この補正量に基づいて通常制御モードにおける目標制動力を演算する。例えば、ブレーキペダル操作量を補正することにより、通常制御モードにおいても踏力液圧モードと同様な特性（ブレーキペダル操作量−制動力）で制動力を発生させることができる。
【００２８】  従って、本発明によれば、モード切換時に制動力が変動してしまうことを抑制することができる。
【００２９】  本発明の他の特徴は、前記切換時目標制動力演算手段は、前記ブレーキペダル操作量を前記補正量を使って補正するものであり、前記補正されたブレーキペダル操作量が予め設定した下限値を下回らないように補正量を更新する補正量更新手段（Ｓ５３，Ｓ５５）を備えたことにある。
【００３０】  通常制御モードでは、踏力液圧モードに比べて、小ストロークで大きな制動力が発生するように、ブレーキペダル操作量と目標制動力との関係が設定されている場合、ブレーキペダル操作量を補正すると、補正されたブレーキペダル操作量は、実際のブレーキペダル操作量に比べて小さくなる。従って、ブレーキペダルが戻し操作されると、その途中で、補正されたブレーキペダル操作量が、ブレーキペダルの操作量範囲（例えば、ストローク範囲）よりも小さな値となることがある。こうしたケースでは、その後、ブレーキペダルが踏み込まれた場合には、補正されたブレーキペダル操作量が操作量範囲に入ってから制動力が発生することになるため、制動力の立ち上がりが遅れてしまう。
【００３１】  そこで、本発明においては、補正量更新手段が、補正されたブレーキペダル操作量が予め設定した下限値を下回らないように補正量を更新する。これにより、ブレーキペダル操作に対して制動力の発生が遅れないようにすることができる。
【００３２】  本発明の他の特徴は、前記ストロークシミュレータは、前記踏力液圧回路を開閉する踏力遮断弁（６５）よりも踏力液圧発生源（２２）側の前記踏力液圧回路から分岐したシミュレータ用流路（７１）に接続され、前記シミュレータ用流路に設けられたシミュレータ用開閉弁（７２）が開弁されている状態でブレーキ操作量に応じた量の作動液を導入して前記反力を発生させるものであり、前記踏力液圧モードから前記通常制御モードに切り換える際に、前記踏力液圧回路における前記シミュレータ用流路の分岐位置より前記ホイールシリンダ側に設けられる弁（６５）を閉弁した状態で、前記シミュレータ用開閉弁を開弁する弁作動タイミング設定手段（Ｓ３２，Ｓ３３）を備えたことにある。
【００３３】  本発明では、踏力液圧モードにおいては、踏力液圧回路に設けられた踏力遮断弁が開弁状態に設定され、シミュレータ用流路に設けられたシミュレータ用開閉弁が閉弁状態に設定される。これにより、ストロークシミュレータの機能が停止される。一方、通常制御モードにおいては、踏力遮断弁が閉弁状態、シミュレータ用開閉弁が開弁状態に設定される。これにより、ストロークシミュレータがブレーキ操作量に応じた量の作動液を導入して反力を発生させる。踏力液圧モードから通常制御モードに切り換えるとき、踏力遮断弁を閉弁する前にシミュレータ用開閉弁を開弁してしまうと、ホイールシリンダや踏力液圧回路に導入されていた作動液がストロークシミュレータに流れ込み、作動液の流れ込みによる音を発するおそれがある。
【００３４】  そこで、本発明においては、踏力液圧モードから通常制御モードに切り換える際に、弁作動タイミング設定手段が、踏力液圧回路におけるシミュレータ用流路の分岐位置よりホイールシリンダ側に設けられる弁を閉弁した状態で、シミュレータ用開閉弁を開弁する。例えば、踏力遮断弁を閉弁した後に、シミュレータ用開閉弁を開弁する。これにより、シミュレータ用開閉弁の開弁時にストロークシミュレータに多量の作動液が流れ込まないようになり、作動液の流れ込みによる音の発生を低減することができる。
【００３５】  尚、上記説明においては、発明の理解を助けるために、実施形態に対応する発明の構成に対して、実施形態で用いた符号を括弧書きで添えているが、発明の各構成要件は前記符号によって規定される実施形態に限定されるものではない。
【図面の簡単な説明】
【００３６】
【図１】本実施形態におけるブレーキ制御装置の概略システム構成図である。
【図２】通常制御モードにおける制御液圧回路およびシミュレータ液圧回路を表す液圧回路図である。
【図３】踏力液圧モードにおける踏力液圧回路を表す液圧回路図である。
【図４】制動モード設定ルーチンを表すフローチャートである。
【図５】シミュレータ不作動制御液圧モードにおける制御液圧回路を表す液圧回路図である。
【図６】通常制御モード切換ルーチンを表すフローチャートである。
【図７】ブレーキペダル操作量と目標制動力との関係を表すグラフである。
【図８】ストローク補正初期値演算ルーチンを表すフローチャートである。
【図９】目標制動力演算ルーチンを表すフローチャートである。
【図１０】ペダルストロークと制動力との推移を表すグラフである。
【図１１】検出ストロークと補正後ストロークとの関係を表すグラフである。
【図１２】変形例としてのブレーキ制御装置におけるペダル踏力入力部の概略構成図である。
【図１３】変形例のストロークシミュレータの通常制御モードにおける作動説明図である。
【図１４】変形例のストロークシミュレータの踏力液圧モードにおける作動説明図である。
【発明を実施するための形態】
【００３７】  以下、本発明の一実施形態に係るブレーキ制御装置について図面を用いて説明する。図１は、本実施形態に係るブレーキ制御装置の概略システム構成図である。
【００３８】  本実施形態のブレーキ制御装置は、ブレーキペダル１０と、マスタシリンダユニット２０と、動力液圧発生装置３０と、液圧制御弁装置５０と、各車輪にそれぞれ設けられるディスクブレーキユニット４０ＦＲ，４０ＦＬ，４０ＲＲ，４０ＲＬと、ブレーキ制御を司るブレーキＥＣＵ１００とを備える。ディスクブレーキユニット４０ＦＲ，４０ＦＬ，４０ＲＲ，４０ＲＬは、ブレーキディスク４１ＦＲ，４１ＦＬ，４１ＲＲ，４１ＲＬとブレーキキャリパに内蔵されたホイールシリンダ４２ＦＲ，４２ＦＬ，４２ＲＲ，４２ＲＬとを備える。尚、車輪毎に設けられる構成については、その符号の末尾に、右前輪についてはＦＲ、左前輪についてはＦＬ、右後輪についてはＲＲ、左後輪についてはＲＬを付しているが、以下、車輪位置を特定しない場合には、末尾の符号を省略する。
【００３９】  ホイールシリンダ４２ＦＲ，４２ＦＬ，４２ＲＲ，４２ＲＬは、液圧制御弁装置５０に接続され、液圧制御弁装置５０から供給される作動液（ブレーキフルード）の液圧が伝達され、この液圧により、車輪と共に回転するブレーキディスク４１ＦＲ，４１ＦＬ，４１ＲＲ，４１ＲＬにブレーキパッドを押し付けて車輪に制動力を付与する。
【００４０】  マスタシリンダユニット２０は、液圧ブースタ２１、マスタシリンダ２２、レギュレータ２３、リザーバ２４を備える。液圧ブースタ２１は、ブレーキペダル１０に連結されており、ブレーキペダル１０に加えられたペダル踏力を増幅してマスタシリンダ２２に伝達する。液圧ブースタ２１は、動力液圧発生装置３０からレギュレータ２３を介して作動液が供給されることにより、ペダル踏力を増幅してマスタシリンダ２２に伝達する。マスタシリンダ２２は、ペダル踏力に対して所定の倍力比を有するマスタシリンダ圧を発生する。
【００４１】  マスタシリンダ２２とレギュレータ２３との上部には、作動液を貯留するリザーバ２４が設けられている。マスタシリンダ２２は、ブレーキペダル１０の踏み込みが解除されているときにリザーバ２４と連通する。レギュレータ２３は、リザーバ２４と動力液圧発生装置３０のアキュムレータ３２との双方に連通し、リザーバ２４を低圧源とするとともにアキュムレータ３２を高圧源として、マスタシリンダ圧とほぼ等しい液圧を発生する。以下、レギュレータ２３の液圧を、レギュレータ圧と呼ぶ。尚、マスタシリンダ圧とレギュレータ圧とは厳密に同一にする必要はなく、例えば、レギュレータ圧をマスタシリンダ圧よりも若干高圧になるように設定してもよい。
【００４２】  動力液圧発生装置３０は、動力液圧源であって、ポンプ３１とアキュムレータ３２とを備える。ポンプ３１は、その吸入口がリザーバ２４に接続され、吐出口がアキュムレータ３２に接続され、モータ３３を駆動することにより作動液を加圧する。アキュムレータ３２は、ポンプ３１により加圧された作動液の圧力エネルギーを窒素等の封入ガスの圧力エネルギーに変換して蓄える。また、アキュムレータ３２は、マスタシリンダユニット２０に設けられたリリーフバルブ２５に接続されている。リリーフバルブ２５は、作動液の圧力が異常に高まった場合には、開弁して作動液をリザーバ２４に戻す。
【００４３】  このように、ブレーキ制御装置は、ホイールシリンダ４２に作動液の液圧を付与する液圧源として、ドライバーのブレーキ踏力（ブレーキペダル１０を踏み込む力）を利用したマスタシリンダ２２、レギュレータ２３と、ドライバーのブレーキ踏力とは無関係に液圧を付与する動力液圧発生装置３０とを備えている。マスタシリンダ２２、レギュレータ２３、動力液圧発生装置３０は、マスタ配管１１、レギュレータ配管１２、アキュムレータ配管１３を介してそれぞれ液圧制御弁装置５０に接続される。また、リザーバ２４は、リザーバ配管１４を介して液圧制御弁装置５０に接続される。
【００４４】  液圧制御弁装置５０は、各ホイールシリンダ４２ＦＲ，４２ＦＬ，４２ＲＲ，４２ＲＬに接続される４つの個別流路５１ＦＲ，５１ＦＬ，５１ＲＲ，５１ＲＬと、個別流路５１ＦＲ，５１ＦＬ，５１ＲＲ，５１ＲＬを連通する主流路５２と、主流路５２とマスタ配管１１とを接続するマスタ流路５３と、主流路５２とレギュレータ配管１２とを接続するレギュレータ流路５４と、主流路５２とアキュムレータ配管１３とを接続するアキュムレータ流路５５とを備える。マスタ流路５３とレギュレータ流路５４とアキュムレータ流路５５とは、主流路５２に対して並列に接続される。
【００４５】  各個別流路５１ＦＲ，５１ＦＬ，５１ＲＲ，５１ＲＬには、その途中にそれぞれＡＢＳ保持弁６１ＦＲ，６１ＦＬ，６１ＲＲ，６１ＲＬが設けられる。ＡＢＳ保持弁６１は、ソレノイドの非通電時にスプリングの付勢力により開弁状態を維持し、ソレノイドの通電中においてのみ閉弁状態となる常開式電磁開閉弁である。ＡＢＳ保持弁６１は、開弁状態においては、作動液を双方向に流すことができ方向性を有さない。
【００４６】  また、各個別流路５１ＦＲ，５１ＦＬ，５１ＲＲ，５１ＲＬには、ＡＢＳ保持弁６１ＦＲ，６１ＦＬ，６１ＲＲ，６１ＲＬと並列にリターンチェック弁６２ＦＲ，６２ＦＬ，６２ＲＲ，６２ＲＬが設けられる。リターンチェック弁６２は、主流路５２からホイールシリンダ４２に向かう作動液の流れを遮断し、ホイールシリンダ４２から主流路５２に向かう作動液の流れを許容する弁である。つまり、ホイールシリンダ４２の液圧（ホイールシリンダ圧と呼ぶ）が主流路５２の液圧よりも高圧となる場合に機械的に弁体が開いてホイールシリンダ４２の作動液を主流路５２側に流し、ホイールシリンダ圧が主流路５２の液圧と等しくなると弁体が閉弁するように構成されている。従って、ＡＢＳ保持弁６１が閉弁されてホイールシリンダ圧が保持されているときに、主流路５２における制御液圧が低下してホイールシリンダ圧を下回った場合には、ＡＢＳ保持弁６１を閉弁状態に維持したままホイールシリンダ圧を主流路５２の制御液圧にまで減圧することができる。
【００４７】  また、各個別流路５１ＦＲ，５１ＦＬ，５１ＲＲ，５１ＲＬには、それぞれ減圧用個別流路５６ＦＲ，５６ＦＬ，５６ＲＲ，５６ＲＬが接続される。各減圧用個別流路５６は、リザーバ流路５７に接続される。リザーバ流路５７は、リザーバ配管１４を介してリザーバ２４に接続される。各減圧用個別流路５６ＦＲ，５６ＦＬ，５６ＲＲ，５６ＲＬには、その途中にそれぞれＡＢＳ減圧弁６３ＦＲ，６３ＦＬ，６３ＲＲ，６３ＲＬが設けられている。各ＡＢＳ減圧弁６３は、ソレノイドの非通電時にスプリングの付勢力により閉弁状態を維持し、ソレノイドの通電中においてのみ開弁状態となる常閉式電磁開閉弁である。各ＡＢＳ減圧弁６３は、開状態において作動液をホイールシリンダ４２から減圧用個別流路５６を介してリザーバ流路５７に流すことでホイールシリンダ圧を低下させる。
【００４８】  ＡＢＳ保持弁６１およびＡＢＳ減圧弁６３は、車輪がロックしてスリップした場合に、ホイールシリンダ圧を下げて車輪のロックを防止するアンチロックブレーキ制御の作動時などにおいて開閉制御される。
【００４９】  主流路５２には、その途中に連通弁６４が設けられる。連通弁６４は、ソレノイドの非通電時にスプリングの付勢力により閉弁状態を維持し、ソレノイドの通電中においてのみ開弁状態となる常閉式電磁開閉弁である。主流路５２は、連通弁６４を境として、一方側がマスタ流路５３に接続される第１主流路５２１、他方側がレギュレータ流路５４およびアキュムレータ流路５５に接続される第２主流路５２２に区分けされる。連通弁６４が閉弁状態にあるときには、第１主流路５２１と第２主流路５２２との間の作動液の流通が遮断され、連通弁６４が開弁状態にあるときには、第１主流路５２１と第２主流路５２２との間の作動液の流通が双方向に許容される。
【００５０】  マスタ流路５３には、その途中にマスタカット弁６５が設けられる。マスタカット弁６５は、ソレノイドの非通電時にスプリングの付勢力により開弁状態を維持し、ソレノイドの通電中においてのみ閉弁状態となる常開式電磁開閉弁である。マスタカット弁６５が閉弁状態にあるときには、マスタシリンダ２２と第１主流路５２１との間の作動液の流通が遮断され、マスタカット弁６５が開弁状態にあるときには、マスタシリンダ２２と第１主流路５２１との間の作動液の流通が双方向に許容される。
【００５１】  マスタ流路５３には、マスタカット弁６５が設けられる位置よりもマスタシリンダ２２側において、シミュレータ流路７１が分岐して設けられる。シミュレータ流路７１には、シミュレータカット弁７２を介してストロークシミュレータ７０が接続される。シミュレータカット弁７２は、ソレノイドの非通電時にスプリングの付勢力により閉弁状態を維持し、ソレノイドの通電中においてのみ開弁状態となる常閉式電磁開閉弁である。シミュレータカット弁７２が閉弁状態にあるときには、マスタ流路５３とストロークシミュレータ７０との間の作動液の流通が遮断され、シミュレータカット弁７２が開弁状態にあるときには、マスタ流路５３とストロークシミュレータ７０との間の作動液の流通が双方向に許容される。
【００５２】  ストロークシミュレータ７０は、複数のピストンやスプリングを備えており、シミュレータカット弁７２が開弁状態にあるときに、ブレーキ操作量に応じた量の作動液を内部に導入してブレーキペダル１０のストローク操作を可能にするとともに、ペダル操作量に応じた反力を発生させて、ドライバーのブレーキ操作フィーリングを良好にするものである。
【００５３】  レギュレータ流路５４には、その途中にレギュレータカット弁６６が設けられる。レギュレータカット弁６６は、ソレノイドの非通電時にスプリングの付勢力により開弁状態を維持し、ソレノイドの通電中においてのみ閉弁状態となる常開式電磁開閉弁である。レギュレータカット弁６６が閉弁状態にあるときには、レギュレータ２３と第２主流路５２２との間の作動液の流通が遮断され、レギュレータカット弁６６が開弁状態にあるときには、レギュレータ２３と第２主流路５２２との間の作動液の流通が双方向に許容される。
【００５４】  アキュムレータ流路５５には、その途中に増圧リニア制御弁６７が設けられる。また、アキュムレータ流路５５が接続される第２主流路５２２は、減圧リニア制御弁６８を介してリザーバ流路５７に接続される。増圧リニア制御弁６７および減圧リニア制御弁６８は、ソレノイドの非通電時にスプリングの付勢力により閉弁状態を維持し、ソレノイドへの通電量（電流値）の増加にしたがって開度を増加させる常閉式電磁リニア制御弁である。増圧リニア制御弁６７および減圧リニア制御弁６８は、スプリングが弁体を閉弁方向に付勢する力と、一次側（入口側）と二次側（出口側）の差圧により弁体が開弁方向に付勢される力との差分である閉弁力により閉弁状態を維持し、ソレノイドへの通電により発生する弁体を開弁させる力が、この閉弁力を上回った場合に、弁体に働く力のバランスに応じた開度で開弁する。従って、ソレノイドへの通電量（電流値）を制御することにより開度を調整することができる。
【００５５】  動力液圧発生装置３０および液圧制御弁装置５０は、ブレーキＥＣＵ１００により駆動制御される。ブレーキＥＣＵ１００は、ＣＰＵ，ＲＡＭ，ＲＯＭ，入出力インターフェース等を備えたマイコン１００ａと、ポンプ駆動回路、電磁弁駆動回路、センサ駆動回路などを備えた駆動回路１００ｂと、マイコン１００ａ，駆動回路１００ｂに車載バッテリ（図示略）から電力を供給する電源回路１００ｃを含んで構成されている。液圧制御弁装置５０に設けられた電磁開閉弁、電磁リニア制御弁は、全てブレーキＥＣＵ１００に接続され、駆動回路１００ｂから出力されるソレノイド駆動信号により開閉状態および開度（電磁リニア制御弁の場合）が制御される。また、動力液圧発生装置３０に設けられたモータ３３についても、ブレーキＥＣＵ１００に接続され、駆動回路１００ｂから出力されるモータ駆動信号により駆動制御される。
【００５６】  液圧制御弁装置５０には、アキュムレータ圧センサ１０１、レギュレータ圧センサ１０２、制御圧センサ１０３が設けられる。アキュムレータ圧センサ１０１は、増圧リニア制御弁６７よりも動力液圧発生装置３０側（上流側）のアキュムレータ流路５５における作動液の圧力であるアキュムレータ圧Ｐaccを検出する。アキュムレータ圧センサ１０１は、検出したアキュムレータ圧Ｐaccを表す信号をブレーキＥＣＵ１００のマイコン１００ａに出力する。レギュレータ圧センサ１０２は、レギュレータカット弁６６よりもレギュレータ２３側（上流側）のレギュレータ流路５４における作動液の圧力であるレギュレータ圧Ｐregを検出する。レギュレータ圧センサ１０２は、検出したレギュレータ圧Ｐregを表す信号をブレーキＥＣＵ１００のマイコン１００ａに出力する。制御圧センサ１０３は、第１主流路５２１における作動液の圧力である制御圧Ｐconを表す信号をブレーキＥＣＵ１００のマイコン１００ａに出力する。
【００５７】  また、ブレーキＥＣＵ１００には、ペダルストロークセンサ１０４と、ペダルスイッチ１０５と、カーテシスイッチ１０６と、車速センサ１０７と、イグニッションスイッチ１０８が接続される。ペダルストロークセンサ１０４は、ブレーキペダル１０の踏み込み量（操作量）であるペダルストロークを検出し、検出したペダルストロークＳｐを表す信号をブレーキＥＣＵ１００のマイコン１００ａに出力する。ペダルスイッチ１０５は、ブレーキペダル１０が設定位置に踏み込まれたときにオンして図示しないストップランプを点灯させるためのスイッチであり、スイッチ状態Ｓｗ１を表す信号（ペダルスイッチ信号Ｓｗ１と呼ぶ）をブレーキＥＣＵ１００のマイコン１００ａに出力する。このペダルスイッチ信号Ｓｗ１は、後述するラピッド起動のトリガとしても利用される。カーテシスイッチ１０６は、車両のドアの開閉状態に応じた信号を出力するスイッチであり、スイッチ状態Ｓｗ２を表す信号（ドアスイッチ信号Ｓｗ２と呼ぶ）をブレーキＥＣＵ１００のマイコン１００ａに出力する。車速センサ１０７は、車速Ｖｘを表す信号をブレーキＥＣＵ１００のマイコン１００ａに出力する。イグニッションスイッチ１０８は、車両を起動させるためのイグニッション信号ＩＧを車両内の各種のＥＣＵに出力する。このイグニッション信号は、ブレーキＥＣＵ１００のマイコン１００ａにも入力される。
【００５８】  次に、ブレーキＥＣＵ１００が実行するブレーキ制御について説明する。本実施形態においては、基本的には、通常制御モードと踏力液圧モードとの少なくとも２つの制動モードが設定されており、ブレーキＥＣＵ１００が、この制動モードを切り換える。また、後述するが、ラピッド起動時において、踏力液圧モードを実行中に制御液圧必要条件が成立した場合には、シミュレータ不作動制御液圧モードが実行される。
【００５９】  本実施形態のブレーキ制御装置が設けられる車両は、バッテリ電源により駆動されるモータと、ガソリン燃料により駆動される内燃機関とを備えたハイブリッド車両である。ハイブリッド車両においては、車輪の回転力でモータを発電させ、この発電電力をバッテリに回生させることにより制動力を得る回生制動を行っている。こうした回生制動を行う場合には、車両を制動させるために必要な総制動力から回生による制動力分を除いた制動力をブレーキ制御装置で発生させることにより、回生制動と液圧制動とを併用したブレーキ回生協調制御を行うことができる。
【００６０】  ブレーキ回生協調制御は、通常制御モードにおいて実行される。通常制御モードにおいては、ドライバーがブレーキペダル１０を踏み込んだ踏力は、ブレーキ操作量の検出用に使用されるだけで、ホイールシリンダ４２に伝達されず、代わりに、動力液圧発生装置３０の出力する液圧がリニア制御弁６７，６８により調圧されてホイールシリンダ４２に伝達される。一方、踏力液圧モードは、ブレーキ制御装置内において何らかの異常が発生しているときに実行される制動モードであって、ブレーキペダル踏力により加圧された液圧がホイールシリンダ４２に伝達される。ブレーキＥＣＵ１００は、液圧制御弁装置５０により作動液の流れる流路を切り換えることにより、通常制御モードと踏力液圧モードとを切り換える。尚、通常制御モードは、異常が検出されていない通常時に行われる制動モードであって、必ずしもブレーキ回生協調制御を実行することを必須としない。
【００６１】  通常制御モードにおいては、マスタカット弁６５およびレギュレータカット弁６６は、ソレノイドへの通電により閉弁状態に維持され、連通弁６４およびシミュレータカット弁７２は、ソレノイドへの通電により開弁状態に維持される。また、増圧リニア制御弁６７および減圧リニア制御弁６８は、ソレノイドが通電制御状態におかれて、通電量に応じた開度に制御される。また、ＡＢＳ保持弁６１およびＡＢＳ減圧弁６３については、アンチロックブレーキ制御など必要に応じて開閉され、通常は、ＡＢＳ保持弁６１は開弁状態に維持され、ＡＢＳ減圧弁６３は閉弁状態に維持される。
【００６２】  通常制御モードにおいては、マスタカット弁６５およびレギュレータカット弁６６が閉弁されるため、マスタシリンダユニット２０から出力される液圧は、ホイールシリンダ４２に伝達されない。また、連通弁６４が開弁状態に維持され、増圧リニア制御弁６７および減圧リニア制御弁６８が通電制御状態におかれる。従って、通常制御モードにおいては、図２に示すように、動力液圧発生装置３０と４輪のホイールシリンダ４２とを連通する制御液圧回路ＬＣが形成される。このため、動力液圧発生装置３０の出力する液圧（アキュムレータ圧）が増圧リニア制御弁６７と減圧リニア制御弁６８により調圧されて４輪のホイールシリンダ４２に伝達される。この場合、各ホイールシリンダ４２は、主流路５２により連通されているため、ホイールシリンダ圧が４輪全て同じ値となる。このホイールシリンダ圧は、制御圧センサ１０３により検出することができる。
【００６３】  また、通常制御モードにおいては、ブレーキＥＣＵ１００は、シミュレータカット弁７２を開弁状態に維持する。これにより、図２に示すように、マスタシリンダ２２とストロークシミュレータ７０とを連通するシミュレータ液圧回路ＬＳが形成される。従って、ドライバーのブレーキペダル１０の踏み込み操作に伴って、マスタシリンダ２２から送出される作動液がシミュレータ流路７１を通ってストロークシミュレータ７０に供給される。これにより、ドライバーのペダル踏力に応じた反力をブレーキペダル１０に作用させることができ、ドライバーに対して良好なペダル操作フィーリングを与えることができる。
【００６４】  ブレーキＥＣＵ１００は、制動要求を受けてブレーキ回生協調制御を開始する。制動要求は、例えばドライバーがブレーキペダル１０を踏み込み操作した場合など、車両に制動力を付与すべきときにおいて発生する。ブレーキＥＣＵ１００は、制動要求を受けると、ペダルストロークセンサ１０４により検出されるペダルストロークＳｐに基づいて目標制動力を演算する。目標制動力は、ペダルストロークＳｐが大きいほど大きな値に設定される。尚、目標制動力は、ペダルストロークＳｐに代えてレギュレータ圧センサ１０２により検出されるレギュレータ圧Ｐregに基づいて設定されてもよいし、ペダルストロークＳｐとレギュレータ圧Ｐregとの両方に基づいて設定されてもよい。
【００６５】  ブレーキＥＣＵ１００は、演算した目標制動力を表す情報をハイブリッドＥＣＵ（図示略）に送信する。ハイブリッドＥＣＵは、目標制動力のうち、電力回生により発生させた制動力を演算して、その演算結果である回生制動力を表す情報をブレーキＥＣＵ１００に送信する。これにより、ブレーキＥＣＵ１００は、目標制動力から回生制動力を減算することによりブレーキ制御装置で発生させるべき制動力である目標液圧制動力を演算する。ハイブリッドＥＣＵで行う電力回生により発生する回生制動力は、モータの回転速度により変化するだけでなく、バッテリの充電状態（ＳＯＣ）等によっても回生電流制御により変化する。従って、目標制動力から回生制動力を減算することにより、適切な目標液圧制動力を演算することができる。
【００６６】  ブレーキＥＣＵ１００は、演算した目標液圧制動力に基づいて、各ホイールシリンダ４２の目標液圧を演算し、ホイールシリンダ圧が目標液圧と等しくなるように、フィードバック制御により増圧リニア制御弁６７と減圧リニア制御弁６８の駆動電流を制御する。つまり、制御圧センサ１０３により検出される制御圧Ｐcon（＝ホイールシリンダ圧）が目標液圧に追従するように、増圧リニア制御弁６７と減圧リニア制御弁６８の各ソレノイドに流す電流を制御する。
【００６７】  これにより、作動液が動力液圧発生装置３０から増圧リニア制御弁６７を介して各ホイールシリンダ４２に供給され、車輪に制動力が発生する。また、必要に応じてホイールシリンダ４２から作動液が減圧リニア制御弁６８を介して排出され、車輪に発生する制動力が調整される。
【００６８】  また、ブレーキＥＣＵ１００は、アキュムレータ圧センサ１０１により検出されるアキュムレータ圧Ｐaccを所定の周期で読み込み、アキュムレータ圧Ｐaccが予め設定した最低設定圧を下回る場合にはモータ３３を駆動してポンプ３１により作動液を加圧し、常にアキュムレータ圧Ｐaccが設定圧範囲内に維持されるように制御する。尚、このモータ３３の制御については、通常制御モードだけでなく踏力液圧モードにおいても実施される。
【００６９】  尚、ブレーキＥＣＵ１００は、制動要求を受けていない場合においては、通常制御モードから非制動モードに切り換える。非制動モードにおいては、マスタカット弁６５、レギュレータカット弁６６、連通弁６４は、それぞれ開弁状態に維持され、シミュレータカット弁７２、増圧リニア制御弁６７、減圧リニア制御弁６８は、閉弁状態に維持される。
【００７０】  次に、踏力液圧モードについて説明する。踏力液圧モードにおいては、液圧制御弁装置５０における電磁開閉弁および電磁リニア制御弁への通電が停止される。従って、常開式電磁弁であるマスタカット弁６５、レギュレータカット弁６６は、開弁状態に維持される。また、常閉式電磁弁である連通弁６４、シミュレータカット弁７２、および、常閉式電磁リニア弁である増圧リニア制御弁６７、減圧リニア制御弁６８は、閉弁状態に維持される。また、ＡＢＳ保持弁６１は開弁状態に維持され、ＡＢＳ減圧弁６３は閉弁状態に維持される。
【００７１】  このため、踏力液圧モードにおいては、動力液圧発生装置３０と各ホイールシリンダ４２との連通が遮断され、代わりに、図３に示すように、マスタシリンダ２２と前輪のホイールシリンダ４２ＦＲ，４２ＦＬとを連通する前輪踏力液圧回路ＬＦ、および、レギュレータ２３と後輪のホイールシリンダ４２ＲＲ，４２ＲＬとを連通する後輪踏力液圧回路ＬＲが形成される。前輪踏力液圧回路ＬＦと後輪踏力液圧回路ＬＲとは、連通弁６４が閉弁状態に維持されることから互いに独立して設けられることになる。従って、マスタシリンダ圧が前輪のホイールシリンダ４２ＦＲ，４２ＦＬに伝達され、レギュレータ圧が後輪のホイールシリンダ４２ＲＲ，４２ＲＬに伝達される。
【００７２】  踏力液圧モードは、ブレーキ制御装置内において何らかの異常が検出されているときに実行される制動モードである。従って、通常の（異常が検出されていない時の）制動時においては、通常制御モードが選択される。また、ブレーキ制御装置がシステム停止している状態、つまり、ブレーキＥＣＵ１００が起動していない状態においては、液圧制御弁装置５０に作動用電力が供給されないため、踏力液圧モードと同じ前輪踏力液圧回路ＬＦと後輪踏力液圧回路ＬＲが形成される。
【００７３】  次に、ブレーキ制御装置のシステム起動、および、起動時における制動モードの設定処理について説明する。図４は、ブレーキＥＣＵ１００（マイコン１００ａ）の実行する制動モード設定ルーチンを表すフローチャートである。この制動モード設定ルーチンは、制御システムが起動していない状態から開始されるものである。
【００７４】  ブレーキＥＣＵ１００は、イグニッションスイッチ１０８、カーテシスイッチ１０６、ペダルスイッチ１０５の何れかがオンするまで待機する（Ｓ１１〜Ｓ１３）。つまり、イグニッションスイッチ１０８がオン操作される、あるいは、車両のドアが開けられる、あるいは、ブレーキペダル１０が踏み込まれるまで待機する。この待機中においては、まだ制御システムが起動していない。
【００７５】  ブレーキＥＣＵ１００は、制御システムが起動していない状態においては、電源回路１００ｃがマイコン１００ａおよび駆動回路１００ｂへの電力供給を停止した状態となっている。従って、制御システムが起動していない状況においては、液圧制御弁装置５０の各電磁開閉弁および電磁リニア制御弁は、非通電状態におかれるため踏力液圧モードと同じ開閉状態に維持される。
【００７６】  イグニッションスイッチ１０８、カーテシスイッチ１０６、ペダルスイッチ１０５の何れかがオンすると、ブレーキＥＣＵ１００の電源回路１００ｃが作動して、電源回路１００ｃからマイコン１００ａに電力が供給される。これによりマイコン１００ａが起動する。マイコン１００ａは、所定の初期診断を行った後に、電源回路１００ｃから駆動回路１００ｂへの電力供給を開始させる。こうして、ブレーキＥＣＵ１００において、制御システムが起動する（Ｓ１４，Ｓ１５）。
【００７７】  マイコン１００ａは、制御システムを起動した契機が、イグニッションスイッチ１０８のオンによるものか（Ｓ１１）、カーテシスイッチ１０６のオンによるものか（Ｓ１２）、ペダルスイッチ１０５のオンによるものか（Ｓ１３）を判断し、イグニッションスイッチ１０８あるいはカーテシスイッチ１０６のオンにより制御システムが起動した場合（Ｓ１１ｏｒＳ１２：Ｙｅｓ）と、ペダルスイッチ１０５のオンにより制御システムが起動した場合（Ｓ１３：Ｙｅｓ）とで、異なった制動モードを設定する。
【００７８】  ペダルスイッチ１０５のオンにより制御システムが起動することをラピッド起動と呼ぶ。イグニッションスイッチ１０８あるいはカーテシスイッチ１０６のオンにより制御システムが起動することを、ラピッド起動と区別するために、ここでは通常起動と呼ぶ。
【００７９】  ブレーキＥＣＵ１００は、通常起動時においては、ステップＳ１６において、制動モードを通常制御モードに設定して制動モード設定ルーチンを終了する。この場合、ブレーキペダル１０が踏み込まれていないため、その後、ブレーキペダル１０が踏み込まれたとき、通常制御モードによるブレーキ制御が行われることになる。
【００８０】  一方、ラピッド起動時においては、ブレーキＥＣＵ１００は、ステップＳ１７において、制動モードを踏力液圧モードに設定する。この場合、液圧制御弁装置５０の各電磁開閉弁およびリニア制御弁の開閉状態は、起動前における状態と同じである。従って、マスタシリンダ圧が前輪のホイールシリンダ４２ＦＲ，４２ＦＬに伝達され、レギュレータ圧が後輪のホイールシリンダ４２ＲＲ，４２ＲＬに伝達される。この場合、ドライバーは、何ら違和感を覚えることなくブレーキペダル１０の踏み込み操作を継続することができる。
【００８１】  続いて、ブレーキＥＣＵ１００は、ステップＳ１８において、制御圧センサ１０３により検出される制御圧Ｐconを読み込み、この制御圧Ｐconが予め設定された切換判定閾値Ｐ０よりも小さいか否かを判断する。ブレーキＥＣＵ１００は、制御圧Ｐconが切換判定閾値Ｐ０以上である場合には、ステップＳ１９において、車速センサ１０７により検出される車速Ｖｘを読み込み、車速Ｖｘがゼロより大きいか否かを判断する。ブレーキＥＣＵ１００は、車速Ｖｘがゼロである場合、つまり、車両が停止している場合（Ｓ１９：Ｎｏ）には、その処理をステップＳ１８に戻す。
【００８２】  こうして、ブレーキＥＣＵ１００は、ステップＳ１８とステップＳ１９の判断を繰り返す。切換判定閾値Ｐ０は、ブレーキペダル１０が軽く踏まれているときに検出される値に設定されており、ブレーキペダル１０が踏まれていないときの制御圧Ｐconより大きな値に設定されている。従って、ブレーキペダル１０の戻し操作途中に、制御圧Ｐconが切換判定閾値Ｐ０を下回るようになっている。
【００８３】  ラピッド起動後、ドライバーがブレーキペダル１０を踏み込んでいる力を緩めて、ブレーキペダル１０が戻り始めると、それに応じて制御圧Ｐconが低下する。ブレーキＥＣＵ１００は、ステップＳ１８において、制御圧Ｐconが切換判定閾値Ｐ０を下回ったと判定したとき、その処理をステップＳ１６に進めて、制動モードを踏力液圧モードから通常制御モードに切り換える。従って、ブレーキペダル１０の戻し操作途中において、制動モードが、踏力液圧モードから通常制御モードに切り換えられる。
【００８４】  これにより、前輪踏力液圧回路ＬＦと後輪踏力液圧回路ＬＲとが遮断され、制御液圧回路ＬＣとシミュレータ液圧回路ＬＳとが形成される。こうして、動力液圧発生装置３０の出力する液圧（アキュムレータ圧）が増圧リニア制御弁６７と減圧リニア制御弁６８により調圧されて４輪のホイールシリンダ４２に伝達される。また、マスタシリンダ２２から送出される作動液がストロークシミュレータ７０に供給される。従って、ブレーキＥＣＵ１００は、この時点から速やかにブレーキ回生協調制御などの制動制御を実行することができる。
【００８５】  このモード切換時においては、マスタシリンダ２２からストロークシミュレータ７０に作動液が流れることになるが、ドライバーがブレーキペダル１０を戻している途中であり、踏力が少なくなっている。従って、ドライバーは、ストロークシミュレータ７０の作動による反力の変動を感じにくく、違和感なくブレーキペダル１０の戻し操作を行うことができる。これにより、制御モードの切換時におけるペダル操作フィーリングを良好にすることができる。
【００８６】  一方、制御圧Ｐconが切換判定閾値Ｐ０を下回るよりも先に、車速Ｖｘがゼロより大きくなった場合、つまり、車両が動き始めた場合には、ブレーキＥＣＵ１００は、ステップＳ１９において「Ｙｅｓ」と判定して、その処理をステップＳ２０に進める。ブレーキＥＣＵ１００は、ステップＳ２０において、制動モードをシミュレータ不作動制御液圧モードに設定する。
【００８７】  シミュレータ不作動制御液圧モードは、通常制御モードに比べてシミュレータカット弁７２が閉弁状態に維持される点のみにおいて異なる。従って、図５に示すように、制御液圧回路ＬＣが形成され、動力液圧発生装置３０の出力する液圧が増圧リニア制御弁６７と減圧リニア制御弁６８により調圧されて４輪のホイールシリンダ４２に伝達される一方で、シミュレータ液圧回路ＬＳが遮断されているため、ストロークシミュレータ７０が不作動状態となる。
【００８８】  ラピッド起動によりブレーキペダル１０が踏まれている状態であっても、例えば、坂路勾配の影響で車両が走行し始めた場合においては、ブレーキ回生協調制御、ヒルスタートアシスト制御等を行う必要が生じることがある。そこで、本実施形態においては、車速Ｖｘがゼロ（Ｋｍ／ｈ）を超えた場合には、その時点から、リニア制御弁６７，６８により調圧された制御液圧を各ホイールシリンダ４２に伝達することができる。従って、速やかにブレーキ回生協調制御、ヒルスタートアシスト制御等の制動制御を開始することができる。
【００８９】  この場合、ドライバーがブレーキペダル１０を踏み込んでいる踏力が大きい状態なので（Ｐcon≧Ｐ０）、通常制御モードのように、シミュレータカット弁７２を開弁してしまうと、ブレーキペダル１０が更に奥にまで入り込んでしまう。そこで、シミュレータ不作動制御液圧モードにおいては、シミュレータカット弁７２を閉弁状態に維持することにより、そうした不具合を防止している。
【００９０】  ブレーキＥＣＵ１００は、ステップＳ２０において、制動モードを踏力液圧モードからシミュレータ不作動制御液圧モードに切り換えると制動モード設定ルーチンを終了する。この場合、ブレーキＥＣＵ１００は、ブレーキ制動が解除された後は、制動モードをシミュレータ不作動制御液圧モードから通常制御モードに切り換える。
【００９１】  次に、踏力液圧モードから通常制御モードに切り換えるときの電磁開閉弁、リニア制御弁の開閉タイミングについて説明する。図６は、ブレーキＥＣＵ１００の実行する通常制御モード切換ルーチンを表す。通常制御モード切換ルーチンは、踏力液圧モードから通常制御モードに切り換えるとき、つまり、制動モード設定ルーチンにおけるステップＳ１８において、「Ｙｅｓ」と判定されて、通常制御モードに切り換えるときに実行される。
【００９２】  ブレーキＥＣＵ１００は、ステップＳ３１において、レギュレータカット弁６６を閉弁する。これにより後輪踏力液圧回路ＬＲが遮断される。続いて、ブレーキＥＣＵ１００は、ステップＳ３２において、マスタカット弁６５を閉弁する。これにより前輪踏力液圧回路ＬＦが遮断される。
【００９３】  続いて、ブレーキＥＣＵ１００は、ステップＳ３３において、連通弁６４を開弁するとともにシミュレータカット弁７２を開弁する。これにより第１主流路５２１と第２主流路５２２とが連通する。また、シミュレータ液圧回路ＬＳが形成される。続いて、ブレーキＥＣＵ１００は、ステップＳ３４において、増圧リニア制御弁６７と減圧リニア制御弁６８との通電制御を開始する。こうして、動力液圧発生装置３０の出力する液圧がリニア制御弁６７，６８により調圧されてホイールシリンダ４２に伝達される。ブレーキＥＣＵ１００は、リニア制御弁６７，６８の通電制御を開始すると通常制御モード切換ルーチンを終了する。
【００９４】  踏力液圧モードから通常制御モードに切り換えるときには、シミュレータカット弁７２が開弁されるが、シミュレータカット弁７２をマスタカット弁６５の閉弁動作よりも先に開弁してしまうと、前輪のホイールシリンダ４２ＦＲ，４２ＦＬおよび前輪踏力液圧回路ＬＦに導入されていた作動液が、圧力差によりストロークシミュレータ７０に流れ込む。また、このとき連通弁６４が開弁状態である場合には、後輪のホイールシリンダ４２ＲＲ，４２ＲＬおよび後輪踏力液圧回路ＬＲに導入されていた作動液も、圧力差によりストロークシミュレータ７０に流れ込む。この作動液の流れ込む衝撃により音が発生する。そこで、通常制御モード切換ルーチンにおいては、シミュレータカット弁７２を開弁する前にマスタカット弁６５を閉弁することにより、こうした音の発生を防止している。
【００９５】  尚、シミュレータカット弁７２の開弁前にマスタカット弁６５を閉弁できない状況が生じる場合には、シミュレータカット弁７２の開弁の後に連通弁６４を開弁するようにするとよい。つまり、連通弁６４が閉弁されている状態でシミュレータカット弁７２を開弁するとよい。この場合には、後輪のホイールシリンダ４２ＲＲ，４２ＲＬおよび後輪踏力液圧回路ＬＲに導入されていた作動液のストロークシミュレータ７０への流れ込みを防止することができる。
【００９６】  また、通常制御モード切換ルーチンの実行中においても車速Ｖｘを検出し、通常制御モード切換ルーチンの実行途中において（例えば、ステップＳ３３を実行する前において）、車速Ｖｘがゼロを超えた場合（車両が走行し始めた場合）には、シミュレータカット弁７２を開弁せずに、シミュレータ不作動制御液圧モードに切り換えるようにするとよい。
【００９７】  次に、モード切換時における制動力の変動を防止する構成について説明する。通常制御モードにおいては、動力液圧発生装置３０で加圧された作動液の液圧を調圧してホイールシリンダ４２に伝達するため、ブレーキペダル操作量に応じた目標制動力を自由に設定することができる。ブレーキＥＣＵ１００のマイコン１００ａは、図７の実線に示すような、通常制御モードを実行するためのブレーキペダル操作量（ペダルストロークＳｐ）と目標制動力Ｇ＊との関係を表すマップを記憶しており、通常制御モードにおいては、この関係に基づいてブレーキペダル操作量Ｓｐから目標制御量Ｇ＊を演算し、目標制動力Ｇ＊が発生するように液圧を調整する。これに対して、踏力液圧モードにおいては、図７の破線に示すように、ブレーキペダル操作量と制動力との関係が機械構成により一義的に決まっている。
【００９８】  通常制御モードにおいては、ブレーキペダル操作量に応じた目標制動力を自由に設定することができるため、一般に、踏力液圧モードに比べて、小ストロークで大きな制動力を発生させるようにチューニングされている。このため、踏力液圧モードから通常制御モードへの切換時に、制動力が変動してしまう。
【００９９】  そこで、ブレーキＥＣＵ１００は、踏力液圧モードから通常制御モードへの切換時において以下のようにして目標制動力を演算する。この演算処理は、ストローク補正初期値演算ルーチン（図８）と、目標制動力演算ルーチン（図９）とからなる２つの演算ルーチンを実行することにより行われる。
【０１００】  図８は、ストローク補正初期値演算ルーチンを表す。ストローク補正初期値演算ルーチンは、踏力液圧モードから通常制御モードに切り換える直前に実行される。ブレーキＥＣＵ１００は、まず、ステップＳ４１において、制御圧センサ１０３にて検出される制御圧Ｐconを読み込み、この制御圧Ｐconを切換時圧Ｐ１として設定する。この切換時圧Ｐ１は、踏力液圧モードから通常制御モードに切り換える直前のホイールシリンダ４２に働いている液圧であり、制動力に対応するものである。
【０１０１】  続いて、ブレーキＥＣＵ１００は、ステップＳ４２において、図７の実線で示すマップを参照して、切換時圧Ｐ１に対応する通常制御モード用のペダルストロークＳｐ１を算出する。続いて、ブレーキＥＣＵ１００は、真のペダルストロークＳｐ０と通常制御モード用のペダルストロークＳｐ１との差であるストローク差ΔＳｐ（＝Ｓｐ０−Ｓｐ１）を計算する。通常制御モードにおいては、踏力液圧モードに比べて、小ストロークで大きな制動力を発生させるようにチューニングされているため、ストローク差ΔＳｐは正の値となる。
【０１０２】  この場合、ステップＳ４１において制御圧Ｐconを検出したときの、ペダルストロークセンサ１０４により検出されるペダルストロークＳｐを、真のペダルストロークＳｐ０として設定することができる。あるいは、図７の破線に示すような、踏力液圧モードにおけるペダルストロークと制動力（液圧）との関係を表すマップをブレーキＥＣＵ１００のマイコン１００ａに記憶しておき、このマップから切換時圧Ｐ１に対するペダルストロークを求め、求めたペダルストロークを真のペダルストロークＳｐ０として設定してもよい。前者の場合には、ブレーキＥＣＵ１００は、ステップＳ４１において、制御圧Ｐconを読み込むとともに、ペダルストロークセンサ１０４により検出されるペダルストロークＳｐを読み込めばよい。
【０１０３】  ブレーキＥＣＵ１００は、ステップＳ４３において、ストローク差ΔＳｐを補正値ΔＳｐとして記憶して、ストローク補正初期値演算ルーチンを終了する。
【０１０４】  ブレーキＥＣＵ１００は、ストローク補正初期値演算ルーチンを終了すると、続いて、図９に示す目標制動力演算ルーチンを開始する。この目標制動力演算ルーチンは、踏力液圧モードから通常制御モードに切り換えた直後に開始され、所定の短い周期で繰り返し実施される。
【０１０５】  ブレーキＥＣＵ１００は、まず、ステップＳ５１において、ペダルストロークセンサ１０４により検出されるペダルストロークＳｐ（以下、検出ストロークＳｐと呼ぶ）を読み込む。続いて、ステップＳ５２において、検出ストロークＳｐから補正値ΔＳｐを減算した値である補正後ストロークＳｐｘ（＝Ｓｐ−ΔＳｐ）を計算する。
【０１０６】  続いて、ブレーキＥＣＵ１００は、ステップＳ５３において、補正後ストロークＳｐｘが下限ストロークＳｐlim未満であるか否かを判断し、補正後ストロークＳｐｘが下限ストロークＳｐlim以上である場合（Ｓ５３：Ｎｏ）には、その処理をステップＳ５４に進める。ブレーキＥＣＵ１００は、ステップＳ５４において、図７に示すマップ（実線）を参照して、補正後ストロークＳｐｘに対する目標制動力Ｇ＊を計算する。
【０１０７】  ブレーキＥＣＵ１００は、ステップＳ５４において目標制動力Ｇ＊を演算すると目標制動力演算ルーチンを終了する。目標制動力演算ルーチンは、所定の短い周期で繰り返される。従って、検出ストロークＳｐから補正値ΔＳｐだけ減算した値である補正後ストロークＳｐｘを使って、目標制動力Ｇ＊が繰り返し計算される。
【０１０８】  図１０は、モード切換時におけるペダルストローク（上段）と制動力（下段）との推移を表す。図中において、時刻ｔ１は、踏力液圧モードから通常制御モードに切り替わる時刻を表す。上段のグラフにおいて、実線は、補正後ストロークＳｐｘを表し、破線は実際のペダルストロークである検出ストロークＳｐを表す。下段のグラフにおいて、時刻ｔ１以降の実線は、補正後ストロークＳｐｘにより計算された目標制動力Ｇ＊を表し、時刻ｔ１以前の実線は、踏力液圧モードにより実際に発生している制動力Ｇを表し、破線は、検出ストロークＳｐにより計算した場合の目標制動力Ｇ＊’を表す。
【０１０９】  図１０に示すように、時刻ｔ１以前においては、検出ストロークＳｐに応じた制動力Ｇが発生する。そして、ブレーキペダル１０の戻し操作により踏力液圧モードから通常制御モードに切り替わると（時刻ｔ１）、それ以降、検出ストロークＳｐよりも補正値ΔＳｐだけ小さな値に設定された補正後ストロークＳｐｘに応じた目標制動力Ｇ＊が設定される。従って、踏力液圧モードから通常制御モードに切り替わっても、ペダルストロークと制動力との特性が維持される。この結果、モード切換時における制動力の変動が発生しない。
【０１１０】  ブレーキＥＣＵ１００は、こうした処理を繰り返し、ステップＳ５３において、補正後ストロークＳｐｘが下限ストロークＳｐlimを下回ったことを検出すると、ステップＳ５５において、補正値ΔＳｐを更新する。この場合、ブレーキＥＣＵ１００は、検出ストロークＳｐから下限ストロークＳｐlimを減算した値を、新たな補正値ΔＳｐに設定する（ΔＳｐ＝Ｓｐ−Ｓｐlim）。
【０１１１】  続いて、ブレーキＥＣＵ１００は、ステップＳ５６において、新たに設定された補正値ΔＳｐを使って、検出ストロークＳｐから補正値ΔＳｐを減算した値を補正後ストロークＳｐｘ（＝Ｓｐ−ΔＳｐ）として計算する。これにより、補正後ストロークＳｐｘは下限ストロークＳｐlimを下回らないようになる。ブレーキＥＣＵ１００は、ステップＳ５６において、補正後ストロークＳｐｘを計算すると、上述したステップＳ５４の処理を行う。
【０１１２】  ここで、ステップＳ５３〜Ｓ５６の処理を行う理由について説明する。補正後ストロークＳｐｘは、検出ストロークＳｐに比べて補正値ΔＳｐだけ小さな値に設定される。このため、補正後ストロークＳｐｘがブレーキペダル１０のストローク範囲よりも小さな値となることがある。従って、補正後ストロークＳｐｘがブレーキペダル１０のストローク範囲に入るように下限ストロークＳｐlimが設定されている。本実施形態においては、下限ストロークＳｐlimは、制動判定が成立するストローク値、つまり、ブレーキペダル操作が検出される最小ストロークに設定されている。
【０１１３】  しかし、補正値ΔＳｐを固定したまま、単に、補正後ストロークＳｐｘが下限ストロークＳｐlimを下回った場合に、補正後ストロークＳｐｘを下限ストロークＳｐlimに設定してしまうと、その後、ブレーキペダル１０が踏み込まれとき（ペダルストロークが増加したとき）に、制動力の立ち上がりが遅れてしまう。例えば、図１１に示すように、ブレーキペダル１０の戻し操作により、時刻ｔ２において、補正後ストロークＳｐｘが下限ストロークＳｐlimを下回った場合には、時刻ｔ２から補正後ストロークＳｐｘは下限ストロークＳｐlimに維持される。しかし、その後、時刻ｔ３において、ブレーキペダル１０が踏み込まれても、計算された補正後ストロークＳｐｘが下限ストロークＳｐlimを超えないあいだは、補正後ストロークＳｐｘは下限ストロークＳｐlimに維持されることになる。このため、補正後ストロークＳｐｘが下限ストロークＳｐlimを超える時刻ｔ４になるまで、制動力が増加しない。
【０１１４】  そこで、本実施形態においては、補正後ストロークＳｐｘが下限ストロークＳｐlimを下回った場合には、ステップＳ５５において、補正値ΔＳｐを逐次更新する。この場合、ブレーキＥＣＵ１００は、補正値ΔＳｐを、検出ストロークＳｐから下限ストロークＳｐlimを減算した値に更新する。これにより、補正後ストロークＳｐｘが下限制限されている状態であっても、ブレーキペダル操作量が増加した場合には、図１１の矢印に示すように、その時点から補正後ストロークＳｐｘを増加させることができる。この結果、ペダル操作と同期させて目標制動力Ｇ＊を速やかに増加させることができる。
【０１１５】  尚、本実施形態のストローク補正初期値演算ルーチン、目標制動力演算ルーチンにおいては、ブレーキペダル操作量としてペダルストロークＳｐを使用しているが、ペダルストロークＳｐに代えて作動液の液圧を使用することもできる。この場合、ブレーキペダル操作量としてレギュレータ圧センサ１０２により検出されるレギュレータ圧Ｐregを使用すればよい。また、補正値は、液圧差ΔＰを用いればよい。例えば、補正値の初期値は、踏力液圧モードから通常制御モードに切り換える直前の液圧である切換時圧Ｐ１と、その時点におけるペダルストロークＳｐから求めた目標制動力Ｇ＊（図７の実線マップ参照）に対応する液圧との差に基づいて計算すればよい。
【０１１６】  以上説明した本実施形態のブレーキ制御装置によれば、ラピッド起動時においては踏力液圧モードを実行し、ブレーキペダル１０の戻し操作途中で踏力液圧モードから通常制御モードに切り換えるため、ストロークシミュレータ７０の作動が開始されてもドライバーに違和感を与えにくいようにすることができる。また、制御圧Ｐconが切換判定閾値Ｐ０よりも小さくなったときに、ブレーキペダル１０の戻し操作途中であると判定して、踏力液圧モードから通常制御モードに切り換えるため、モード切換タイミングを適正に設定することができる。これらの結果、ラピッド起動時におけるブレーキ操作フィーリングを向上させることができる。
【０１１７】  また、踏力液圧モードの実行中においては、ブレーキペダル１０の戻し操作が行われていなくても、車両が走行し始めた場合（Ｖｘ＞０）には、シミュレータ不作動制御液圧モードを実行するため、速やかに所望の制動力を発生させることができる。
【０１１８】  また、踏力液圧モードから通常制御モードに切り換えたとき、モードを切り換える直前の圧力Ｐ１に基づいて、ペダル操作量であるペダルストロークＳｐと目標制動力Ｇ＊との関係を補正するための補正値ΔＳｐを演算し、この補正値ΔＳｐによりペダルストロークＳｐを補正した補正後ストロークＳｐｘに基づいて目標制動力Ｇ＊を演算する。従って、踏力液圧モードから通常制御モードに切り換わったときの制動力の変動を抑制することができる。
【０１１９】  また、補正後ストロークＳｐｘが予め設定した下限ストロークＳｐlimを下回らないように補正値ΔＳｐを更新するため、ブレーキペダル操作に対して制動力の発生が遅れないようにすることができる。
【０１２０】  また、踏力液圧モードから通常制御モードに切り換える際に、シミュレータカット弁７２を開弁する前にマスタカット弁６５を閉弁するため、ストロークシミュレータ７０に多量の作動液が流れ込まないようになり、作動液の流れ込みによる音の発生を低減することができる。
【０１２１】  次に、ストロークシミュレータの変形例について図１２〜図１４を用いて説明する。上述した実施形態のストロークシミュレータ７０は、ブレーキ操作量に応じた量の作動液を内部に導入してブレーキペダル１０のストローク操作を可能にするとともに、ペダル操作量に応じた反力を発生させるものであるが、この変形例においては、液圧式のストロークシミュレータ７０，シミュレータ流路７１，シミュレータカット弁７２を備えていなく、作動液を導入しない構成を採用している。
【０１２２】  この変形例におけるブレーキ制御装置は、図１２に示すように、負圧ブースタ２０１を備えており、ブレーキペダル１０に入力されたペダル踏力を負圧ブースタ２０１により助勢してマスタシリンダ２２に伝達する。ブレーキペダル１０を揺動可能に支持するペダルアーム１０ａには、離間クレビス２３０が設けられ、この離間クレビス２３０を介してペダル踏力が負圧ブースタ２０１のプッシュロッド２０２に伝達される。
【０１２３】  離間クレビス２３０は、図１３，図１４に示すように、長孔２３１ａが形成された踏力伝達部材２３１と、ペダルアーム１０ａに固着され先端が長孔２３１ａ内に挿入されるピン部材２３２とを備える。ピン部材２３２は、長孔２３１ａの長径方向に移動自在となっており、ペダルアーム１０ａの揺動により長孔２３１ａ内を移動する。ピン部材２３２が長孔２３１ａの端部２３１ａedgに当接していない状態においては、ペダル踏力は踏力伝達部材２３１に伝達されない。ブレーキペダル１０が踏み込まれ、ピン部材２３２が長孔２３１ａの端部２３１ａedgに当接した状態から、さらにペダルアーム１０ａが揺動すると、ピン部材２３２と踏力伝達部材２３１とが一体となって移動し、ペダル踏力によりプッシュロッド２０２が押し込まれる。
【０１２４】  ペダルアーム１０ａの基端側には、機械バネ式のストロークシミュレータ２５０が設けられる。ストロークシミュレータ２５０は、取付フレーム２８０に固定された固定軸２１１に揺動可能に取り付けられる板バネ２６０と、板バネ２６０の両端に設けられるゴム部材２４０ａ、２４０ｂとを備えている。
【０１２５】  板バネ２６０は、Ｖ字状に形成された帯状体であって、円筒状に湾曲した取付板部２６１と、取付板部２６１の両側から延びたゴム装着板部２６２ａ，２６２ｂとから構成される。取付板部２６１は、その内周面が固定軸２１１の外周面を覆うように、固定軸２１１に揺動可能に装着される。ゴム装着板部２６２ａ，２６２ｂには、それぞれゴム部材２４０ａ，２４０ｂが互いに向き合うように装着される。
【０１２６】  板バネ２６０の下方には、プッシュソレノイド２７０が、取付フレーム２８０に固定されて設けられる。プッシュソレノイド２７０は、ブレーキＥＣＵ１００に接続され、ブレーキＥＣＵ１００からソレノイド駆動信号が供給されているときにプッシュロッド２７１を本体部２７２から前進させた位置を維持し、ソレノイド駆動信号が供給されていないときにプッシュロッド２７１を本体部２７２方向へ後退させた位置を維持する。
【０１２７】  ストロークシミュレータ２５０は、プッシュソレノイド２７０のプッシュロッド２７１が前進した状態となるときに、図１３に示すように、プッシュロッド２７１に支えられる。この状態において、ストロークシミュレータ２５０は、プッシュロッド２７１の先端とペダルアーム１０ａの基端部との間に挟まれる。従って、ストロークシミュレータ２５０においては、ドライバーがブレーキペダル１０を踏み込むと、その踏力によりゴム装着板部２６２ａ，２６２ｂが互いに接近する方向（板バネ２６０のＶ字状の角度が狭くなる方向）に付勢される。これにより、板バネ２６０が変形して２つのゴム部材２４０ａ，２４０ｂを圧縮する。従って、板バネ２６０とゴム部材２４０ａ，２４０ｂの復元力が、ペダル操作に対する反力として発生する。
【０１２８】  この場合、ブレーキペダル１０がストロークシミュレータ２５０の反力により戻されるため、離間クレビス２３０においては、ピン部材２３２が長孔の端部２３１ａedgにまで移動しない。従って、踏力伝達部材２３１は、負圧ブースタ２０１のプッシュロッド２０２を押さないため、ペダル踏力をマスタシリンダ２２側に伝達しない。
【０１２９】  また、ストロークシミュレータ２５０は、プッシュソレノイド２７０のプッシュロッド２７１が後退した状態となるときに、図１４に示すように、プッシュロッド２７１による支えがなくなって、自重により固定軸２１１周りに図面の時計回り方向に回動し、安定した位置に維持される。この状態においては、ストロークシミュレータ２５０は、プッシュロッド２７１およびペダルアーム１０ａからフリー状態となる。従って、ドライバーがブレーキペダル１０を踏み込んでもストロークシミュレータ２５０が作動せず、ペダルアーム１０ａは、そのまま図面の時計回り方向に揺動する。これにより、離間クレビス２３０においては、ピン部材２３２が長孔２３１ａの端部２３１ａedgにまで移動し、ピン部材２３２が端部２３１ａedgに達した後に、ピン部材２３２と踏力伝達部材２３１とが一体となって負圧ブースタ２０１のプッシュロッド２０２を図面左方向に押す。これにより、ペダル踏力がマスタシリンダ２２に伝達される。
【０１３０】  従って、離間クレビス２３０は、ストロークシミュレータ２５０が作動するときにペダル踏力をマスタシリンダ２２に伝達しないようにし、ストロークシミュレータ２５０が作動しないときにペダル踏力をマスタシリンダ２２に伝達させる踏力伝達切換機構として働く。また、プッシュソレノイド２７０は、ストロークシミュレータ２５０が作動する状態（反力を発生する状態）と作動しない状態（反力を発生しない状態）とに切り換えるストロークシミュレータ作動切換機構として働く。
【０１３１】  ペダルアーム１０ａには、ブレーキペダル１０の踏み込み角度を検出するペダル角度センサ２９０が設けられている。ペダル角度センサ２９０は、ブレーキペダル１０の踏み込み角度（ペダル角度θｐと呼ぶ）を表す検出信号をブレーキＥＣＵ１００に出力する。
【０１３２】  ブレーキＥＣＵ１００は、通常制御モードにおいて、プッシュソレノイド２７０を駆動して、ストロークシミュレータ２５０を作動させる。ブレーキＥＣＵ１００が起動していない時には、プッシュソレノイド２７０には通電されない。従って、ラピッド起動時においては、ブレーキペダル１０の踏み込み操作により負圧ブースタ２０１のプッシュロッド２０２が押されて、踏力液圧回路ＬＲ，ＬＲを介してホイールシリンダ４２に液圧が働く。ブレーキＥＣＵ１００は、ラピッド起動後、ペダル角度センサ２９０により検出されるペダル角度θｐが予め設定した切換判定閾値θｐを下回ったときに、ブレーキペダル１０の戻し操作が行われたと判断して、踏力液圧モードから通常制御モードに切り換える。これにより、踏力液圧回路ＬＲ，ＬＲに代わって制御液圧回路ＬＣが形成され、動力液圧発生装置３０の出力する液圧が増圧リニア制御弁６７と減圧リニア制御弁６８により調圧されて４輪のホイールシリンダ４２に伝達される。この場合、ブレーキＥＣＵ１００は、プッシュソレノイド２７０にソレノイド駆動信号を供給してプッシュロッド２７１を前進させる。これにより、ストロークシミュレータ２５０が作動できる状態に切りかわる。
【０１３３】  また、ラピッド起動後におけるストロークシミュレータ２５０の作動タイミング、つまり、プッシュソレノイド２７０の駆動タイミングについては、実施形態におけるシミュレータカット弁７２のタイミングと同様に行うようにすればよい。
【０１３４】  この変形例においても、実施形態と同様に、ラピッド起動時における、ペダル操作フィーリングを向上することができる。尚、この変形例においては、ペダル角度センサ２９０により検出されるペダル角度θｐをブレーキペダル操作量として使用しているが、実施形態のようにペダルストロークＳｐや作動液の液圧を使用しても良い。
【０１３５】  以上、本実施形態および変形例のブレーキ制御装置について説明したが、本発明は上記実施形態および変形例に限定されるものではなく、本発明の目的を逸脱しない限りにおいて種々の変更が可能である。
【０１３６】  例えば、本実施形態のブレーキ制御装置は、ハイブリッド車両に適用したものであるが、電気自動車（ＥＶ）に適用しても良い。この場合でも、ブレーキ回生協調制御を実行することができる。
【０１３７】  また、本実施形態においては、制御圧Ｐconに基づいて、ブレーキペダル操作の戻し途中であることを判断しているが、ペダルストロークセンサ１０４により検出されるペダルストロークＳｐが切換判定閾値Ｓｐ０未満になったときに、ブレーキペダル操作の戻し途中であると判定するようにしてもよい。
【０１３８】  また、本実施形態においては、ラピッド起動後、車速Ｖｘがゼロより大きくなったときに（Ｓ１９）、シミュレータ不作動制御液圧モードに切り換えるが、ゼロより大きな車速Ｖｘ０を設定しておき、車速Ｖｘが設定車速Ｖｘ０より大きくなったときにシミュレータ不作動制御液圧モードに切り換えるようにしてもよい。また、シミュレータ不作動制御液圧モードに切り換えるタイミングは、必ずしも車速Ｖｘに基づく必要は無く、ブレーキ回生協調制御、ヒルアシストスタート制御、ＡＢＳ制御などの制動制御の必要が生じたタイミングに設定すればよい。
【０１３９】  また、本実施形態においては、ストローク補正初期値演算ルーチンにおいて、真のペダルストロークＳｐ０と通常制御用のペダルストロークＳｐ１とのストローク差ΔＳｐを補正初期値に設定しているが、必ずしも、この値に設定する必要はなく、ストローク差ΔＳｐに応じた値、例えば、ストローク差ΔＳに調整係数を乗算した値を補正初期値として使用するようにしてもよい。
【０１４０】  また、本実施形態においては、増圧リニア制御弁６７と減圧リニア制御弁６８とからなるリニア制御弁にて４輪のホイールシリンダ圧を共通に制御するブレーキ制御装置に適用しているが、制御液圧回路に４輪ごとに別々のリニア制御弁を設け、動力液圧源で加圧された作動液の液圧を各輪ごとにリニア制御弁で調圧してホイールシリンダに伝達するブレーキ制御装置に適用してもよい。
【図１】
2013011565.tif 000003
【図２】
2013011565.tif 000004
【図３】
2013011565.tif 000005
【図４】
2013011565.tif 000006
【図５】
2013011565.tif 000007
【図６】
2013011565.tif 000008
【図７】
2013011565.tif 000009
【図８】
2013011565.tif 000010
【図９】
2013011565.tif 000011
【図１０】
2013011565.tif 000012
【図１１】
2013011565.tif 000013
【図１２】
2013011565.tif 000014
【図１３】
2013011565.tif 000015
【図１４】
2013011565.tif 000016
【国際調査報告】
2013011565.tif 000017
2013011565.tif 000018
2013011565.tif 000019